(57)【要約】【課題】可動構造体の動きによる遊技の演出効果を向上する。【解決手段】飾り構造体２７には上可変入賞部品２１が図柄視認開口部３９よりも上部において遊技盤１５の前側から見えないように設けられ、上可変入賞部品２１の前面が取り込まれた球を透視可能な入賞球確認部５０で塞がれ、可動構造体７６が閉じることによって入賞球確認部５０が遊技盤１５の前側から見えないように可動構造体７６で覆い隠されており、上可変入賞部品２１の開閉体３７が開き、球が遊技領域から上可変入賞部品２１に取り込まれる可能性がある場合に、可動構造体７６が開き、入賞球確認部５０が可動構造体７６から露出され、遊技者が、飾り構造体２７を前側から見た場合、入賞球確認部５０を通して上可変入賞部品２１に取り込まれた球を適切に確認することができる。【選択図】図１
2007167093.tif 000002
【特許請求の範囲】
【請求項１】
遊技盤の前面の遊技領域に設けられた飾り構造体と、遊技盤の裏側に設けられた画像表示器に表示された画像を遊技盤の前側から視認させるように飾り構造体に形成された図柄視認開口部と、遊技盤の前側から動きを視認させるように飾り構造体に設けられた可動構造体とを備えたパチンコ遊技機の遊技部品において、可動構造体が図柄視認開口部に対し斜めに直線的に駆動するように飾り構造体に設けられたことを特徴とするパチンコ遊技機の遊技部品。
【請求項２】
飾り構造体には可変入賞部品が図柄視認開口部よりも上部において遊技盤の前側から見えないように設けられ、可変入賞部品の球取込部の前面が球取込部に取り込まれた球を透視可能な入賞球確認部で塞がれ、可動構造体が閉じることによって入賞球確認部が遊技盤の前側から見えないように可動構造体で覆い隠され、可動構造体が開くことによって入賞球確認部が遊技盤の前側から見えるように露出されたことを特徴とする請求項１記載のパチンコ遊技機の遊技部品。
【発明の詳細な説明】
【技術分野】
【０００１】
本発明は、遊技の演出効果が良好なパチンコ遊技機の遊技部品に関する。
【背景技術】
【０００２】
パチンコ遊技機の遊技部品には、飾り構造体が遊技盤の前面の遊技領域に設けられ、画像表示器が遊技盤の裏側に設けられ、遊技盤を前側から見た場合に飾り構造体の図柄視認開口部を通して画像表示器に表示された画像を遊技者に見せるようになっているとともに、飾り構造体には可動構造体が遊技盤の前側から動きを遊技者に視認させるように設けられたものが知られている。しかしながら、可動構造体が飾り構造体の前面で単純に動くだけであるので、遊技の演出効果を期待できないという欠点があった。
【特許文献１】特開２００１−３８００５号公報
【発明の開示】
【発明が解決しようとする課題】
【０００３】
発明が解決しようとする問題点は、可動構造体の動きによる遊技の演出効果を期待できないという点である。
【課題を解決するための手段】
【０００４】
本発明に係るパチンコ遊技機の遊技部品は、遊技盤の前面の遊技領域に設けられた飾り構造体と、遊技盤の裏側に設けられた画像表示器に表示された画像を遊技盤の前側から視認させるように飾り構造体に形成された図柄視認開口部と、遊技盤の前側から動きを視認させるように飾り構造体に設けられた可動構造体とを備えたパチンコ遊技機の遊技部品において、可動構造体が図柄視認開口部に対し斜めに直線的に駆動するように飾り構造体に設けられたことを最も主要な特徴とする。図柄視認開口部よりも上部において遊技盤の前側から見えないように可変入賞部品が飾り構造体に設けられ、可変入賞部品の球取込部の前面が球取込部に取り込まれた球を透視可能な入賞球確認部で塞がれ、可動構造体が閉じることによって入賞球確認部が遊技盤の前側から見えないように可動構造体で覆い隠され、可動構造体が開くことによって入賞球確認部が遊技盤の前側から見えるように露出されてもよい。
【発明の効果】
【０００５】
本発明に係るパチンコ遊技機の遊技部品は、遊技処理により可動構造体を図柄視認開口部に対し斜めに直線的に開いたり閉じたりするように動作することによって、遊技の演出効果を向上することができるという利点がある。飾り構造体には上可変入賞部品が図柄視認開口部よりも上部において遊技盤の前側から見えないように設けられ、上可変入賞部品の球取込部の前面が球取込部に取り込まれた球を透視可能な入賞球確認部で塞がれ、可動構造体が閉じることによって入賞球確認部が遊技盤の前側から見えないように可動構造体で覆い隠され、可動構造体が開くことによって入賞球確認部が遊技盤の前側から見えるように露出されれば、遊技者が、飾り構造体を前側から見た場合、入賞球確認部を通して可変入賞部品の球取込部に取り込まれた球を適切に確認することができるという利点がある。
【発明を実施するための最良の形態】
【０００６】
図１乃至図１０は、発明を実施するための最良の形態である。図１は、遊技盤１５の正面を示す。図２は、パチンコ遊技機の正面を示す。図３は、パチンコ遊技機の遊技部品としての飾り構造体２７を分解して示す。図４は、上可変入賞部品２１および飾り後側部品４２を分解して示す。図５は、可動化粧体９２および可動基盤９３を分解して示す。図６は、飾り後側部品４２、可動基盤９３、動力伝達機構９４、駆動源９５を分解して示す。図７は、可動構造体７６を閉じた飾り構造体２７の正面を示す。図８は、可動構造体７６を開いた飾り構造体２７の正面を示す。図９は、飾り構造体２７を取り付けた遊技盤１５を縦方向に切断した断面を示す。図１０は、特図始動入賞に関する処理を示す。本明細書において、「前」、「後」、「裏」、「左」、「右」、「上」、「下」の方向は、図２の状態に遊技機枠１および遊技盤１５を置いて図２の紙面前側から見た場合に特定される方向、または、図３の状態に飾り構造体２７を置いて矢印Ａ方向から見た場合に特定される方向である。「後」と「裏」とは同じ方向である。
【０００７】
図２を参照し、パチンコ遊技機の構造について説明する。パチンコ遊技機の遊技機枠１は、固定枠２の前側に可動枠３を開閉可能に備え、可動枠３の前側に前扉４および皿構造体５を開閉可能に備える。固定枠２は、パチンコ遊技機を設置する遊技店の島と呼ばれる遊技機設置設備に固定される外枠とも呼ばれる。可動枠３は、遊技盤１５や制御装置１１など遊技に必要な部品を取り付ける前枠とも呼ばれる。可動枠３は、左側に位置する図外のヒンジを中心とし、固定枠２の前側で前側に開かれかつ後側に閉じられるように、片開き可能である。前扉４および皿構造体５は、個別に、左側に位置する図外のヒンジを中心とし、可動枠３の前側で前側に開かれかつ後側に閉じられるように、片開き可能である。前扉４は、パネル枠とも呼ばれ、前後方向に貫通する窓６を備える。窓６は、前扉４の裏面に設けられた無色のような光透過性の有るガラスのような前面パネル７で塞がれる。皿構造体５の前面には、受皿部８、発射操作機構９が設けられる。閉じられた皿構造体５で覆い隠される可動枠３の前面には、発射機構１０が設けられる。遊技者が発射操作機構９を操作すると、発射操作機構９が遊技者の操作量に応じた可変抵抗値のような操作量信号を制御装置１１に出力し、制御装置１１が操作量信号に応じた発射出力で発射機構１０を駆動する。遊技機枠１の内部には、遊技盤１５が格納される。
【０００８】
図１にも示すように、遊技盤１５の遊技領域は、遊技盤１５の前面の内ガイドレール１６および外ガイドレール１７で囲まれた内側の部分であって、遊技機枠１の前側から前面パネル７を経由して視認される。遊技領域に設けられる遊技部品としては、一般入賞部品１８、普図始動部品１９、特図始動部品２０、上可変入賞部品２１、下可変入賞部品２２、普通図柄表示器２３、特別図柄表示器２４、ラウンド表示器２５、画像表示器２６、飾り構造体２７、アウト口２８、球戻り防止弁２９、球反発体３０、発射通路３１、一般入賞球検出器３２、普図始動球検出器３３、特図始動球検出器３４、可変入賞球検出器３５Ａ；３５Ｂ、図外の保留数表示器、図外の風車、図外の遊技釘、図外の表示灯などである。発射通路３１は、内ガイドレール１６の左側部と外ガイドレール１７の左側部との間の隙間によって形成される。特図始動部品２０は、左右一対の開閉体３６を有する。開閉体３６は、電磁ソレノイドのような駆動源によって、下部の軸を中心として左右方向に開閉する。上可変入賞部品２１は、開閉体３７を有する。開閉体３７は、電磁ソレノイドのような駆動源によって、前後方向に直線的に開閉する。上可変入賞部品２１の構造については、図４で説明する。下可変入賞部品２２は、開閉体３８を有する。開閉体３８は、電磁ソレノイドのような駆動源によって、下部の軸を中心として前後方向に開閉する。普通図柄表示器２３と特別図柄表示器２４およびラウンド表示器２５は、７個の表示素子を日字形に配置したセグメント表示器、多数のＬＥＤのように表示素子を格子状に配置したデジタル表示器などにより構成される。画像表示器２６は、飾り構造体２７の裏側に配置され、遊技盤１５の裏面に取り付けられる。画像表示器２６は、液晶表示器のような電気的に画像の表示形態を変えられるように表示画面に表示する面状表示器により構成される。画像表示器２６の前面における表示画面に表示された画像は、遊技機枠１の前側から前面パネル７および飾り構造体２７の図柄視認開口部３９を経由して視認される。
【０００９】
図２に戻り、遊技盤１５が遊技機枠１の内部に取り付けられ、遊技機枠１の裏側や遊技盤１５の裏側に設けられた制御装置１１が供給された電力によって起動し、遊技者が球を受皿部８に入れ、遊技者が発射操作機構９を右側に回転するように操作すると、発射機構１０が受皿部８から遊技機枠１の内部に取り込まれた球を１個ずつ発射通路３１に向けて発射する。発射された球は、発射通路３１から球戻り防止弁２９を押し開けて遊技領域に到達する。遊技領域に到達した球は、遊技領域を落下する過程において、アウト口２８および発射通路３１以外の遊技部品に衝突して、流れる方向を変えながら、一般入賞部品１８、普図始動部品１９、特図始動部品２０、開閉体３７を開放中の上可変入賞部品２１、開閉体３８を開放中の下可変入賞部品２２に入る。一般入賞部品１８、特図始動部品２０、上可変入賞部品２１、下可変入賞部品２２に入った球は、遊技盤１５の裏側に排出される。つまり、一般入賞部品１８、特図始動部品２０、上可変入賞部品２１、下可変入賞部品２２は、遊技領域から取り込んだ球を遊技盤１５の裏側に排出する、取込形の入賞部品である。普図始動部品１９に入った球は、遊技盤１５の裏側に導かれることなく遊技領域に再び排出される。つまり、普図始動部品１９は、遊技領域から取り込んだ球を遊技盤１５の裏側に迂回させることなく遊技領域に排出する、チャッカーと呼ばれる、通過形の部品である。一般入賞部品１８、特図始動部品２０、上可変入賞部品２１、下可変入賞部品２２のいずれにも入らずに遊技領域の最下部に到達した球は、アウト口２８を経由して遊技盤１５の裏側に排出される。
【００１０】
一般入賞球検出器３２は、一般入賞部品１８に入賞した球を検出し、一般入賞信号を制御装置１１に出力する。一般入賞信号が制御装置１１に入力されると、制御装置１１は、一般入賞信号に対応する個数の賞球としての球を払い出すように可動枠３の裏面に設けられた図外の払出機構を制御する。普図始動球検出器３３は、普図始動部品１９に入賞した球を検出し、普通図柄始動入賞信号を制御装置１１に出力する。普通図柄始動信号が制御装置１１に入力されると、制御装置１１は、普通抽選を行い、普通抽選の結果による図柄の可変表示や演出表示の制御を開始する。これによって、普通図柄表示器２３が、複数の図柄を可変表示した後、普通抽選の結果を知らせるように図柄を停止表示する。普通抽選の結果としての当たりを遊技者に知らせる場合、普通図柄表示器２３に停止表示された確定図柄が当たり図柄となる。普通図柄表示器２３が当たり図柄を確定表示した後、制御装置１１は、開閉体３６を開閉する。これによって、特図始動部品２０に球が入りやすくなる。普通抽選の結果としての外れを遊技者に知らせる場合、普通図柄表示器２３に停止表示された確定図柄が外れ図柄となる。普通図柄表示器２３が外れ図柄を確定表示した後、制御装置１１は、上記普通抽選の結果による図柄の可変表示や演出表示の制御を終わる。
【００１１】
特図始動球検出器３４は、特図始動部品２０に入賞した球を検出し、特別図柄始動信号を制御装置１１に出力する。特別図柄始動信号が制御装置１１に入力されると、制御装置１１は、特別図柄始動信号に対応する個数の賞球としての球を払い出すように払出機構を制御し、特別抽選を行い、特別抽選の結果による図柄の可変表示や演出表示の制御を開始する。これによって、特別図柄表示器２４が複数の図柄を可変表示し、画像表示器２６が複数の図柄をスクロールするように可変表示しつつ画像を遊技演出するように表示し、その後、特別図柄表示器２４および画像表示器２６が特別抽選の結果を知らせるように図柄を停止表示する。そして、特別抽選の結果としての当たりを遊技者に知らせる場合、特別図柄表示器２４に停止表示された確定図柄が当たり図柄となる。特別図柄表示器２４が当たり図柄を確定表示した後、制御装置１１は、上可変入賞部品２１や下可変入賞部品２２を制御する。これによって、上可変入賞部品２１の開閉体３７や下可変入賞部品２２の開閉体３８を開閉する大当たりとなる。大当たり中は、上可変入賞部品２１の開閉体３７や下可変入賞部品２２の開閉体３８の開閉の継続回数を遊技者に知らせるように、制御装置１１がラウンド表示器２５を制御する。球が特図始動部品２０に入賞すると、賞球が払い出されることから、特図始動部品２０は入賞部品と概念される。可変入賞球検出器３５Ａは、上可変入賞部品２１に入賞した球を検出し、可変入賞信号を制御装置１１に出力する。可変入賞球検出器３５Ｂは、下可変入賞部品２１に入賞した球を検出し、上可変入賞信号を制御装置１１に出力する。制御装置１１は、上可変入賞信号に対応する個数の賞球としての球を払い出すように払出機構を制御する。
【００１２】
図３を参照し、飾り構造体２７の構造について説明する。飾り構造体２７は、飾り前側部品４１および飾り後側部品４２を備える。そして、飾り前側部品４１が前側で、飾り後側部品４２が後側となるように、飾り前側部品４１および飾り後側部品４２が互いに組み合わされ、タッピングスクリューのような止ねじ４３が飾り後側部品４２の後側から飾り後側部品４２を貫通して飾り前側部品４１に締結されることによって、飾り前側部品４１および飾り後側部品４２が互いに結合され、図１に示す方形な図柄視認開口部３９を有する飾り構造体２７が単一体として構成される。
【００１３】
図３に戻り、飾り前側部品４１は、前壁４５、前側周壁４６、取付部４７、ねじ挿入孔４８、中央開口部４９、入賞球確認部５０、ステージ５１、ステージ幕部５２、ステージ球案内路５３、ステージ球入口５４、ステージ球出口５５、ステージ球排出路５６、左縦壁５７、右縦壁５８、ワープ球入口５９、ワープ球出口６０、ワープ通路６１を備える。前壁４５、前側周壁４６、取付部４７、ステージ５１、ステージ幕部５２、左縦壁５７、右縦壁５８は、有色な化粧体を構成し、遊技者が飾り前側部品４１を前側から見た場合に、飾り前側部品４１の裏側を透視できない態様である。前側周壁４６は、前壁４５の周縁部から後側に直角に突出する。取付部４７は、前側周壁４６の後縁部から外側に直角に突出する。ねじ挿入孔４８は、取付部４７およびステージ幕部５２に前後方向への貫通孔として形成される。中央開口部４９は、前壁４５に前後方向への貫通孔として形成される。入賞球確認部５０は、上可変入賞部品２１と対応する位置で、中央開口部４９の縁部から中央開口部４９の内部に突出し、球通路の前側を覆う無色な板状として、前壁４５に取り付けられる。入賞球確認部５０が無色であることから、遊技者が入賞球確認部５０を前側から見た場合に、入賞球確認部５０の裏側を透視できる態様である。
【００１４】
ステージ５１は、中央開口部４９の下縁部を構成するように、前壁４５から後側に直角に突出する。ステージ５１は、左右方向の中央部が山形に上方に盛り上がり、中央部から左右方向の外側に連なる両側部が弧状に下方に窪む形状であって、ワープ球出口６０からステージ５１の上に排出された球を左右に揺れ動くように踊らす部分である。ステージ幕部５２は、ステージ５１の前縁部から下方に直角に垂れ下がる。ステージ球案内路５３は、ステージ５１の中央部の最上面から下方に窪み、球をステージ５１の中央部の最上面からステージ球入口５４に導く溝として、ステージ５１の中央部の最上面に設けられる。ステージ球入口５４は、ステージ５１の中央部の最上面から球を下方に取り込む上下方向への貫通孔として、ステージ球案内路５３よりも後側に位置し、ステージ５１の中央部の最上面に設けられる。
【００１５】
ステージ球出口５５は、ステージ幕部５２の中央から球を下方に落下させる前後方向への貫通孔として、ステージ幕部５２に設けられる。ステージ球排出路５６は、ステージ球入口５４からステージ球出口５５に球を導く通路として、ステージ５１の下面およびステージ幕部５２の裏面に設けられる。左縦壁５７は、ステージ５１の左側部から上方に突出するとともに中央開口部４９の縁部から後側に直角に突出する。右縦壁５８は、ステージ５１の右側部から上方に突出するとともに中央開口部４９の縁部から後側に直角に突出する。ワープ球入口５９は、ステージ５１よりも上方に位置し、図１の遊技盤１５の遊技領域から球を前壁４５の裏側に取り込む左右方向への貫通孔として、前側周壁４６の左側部に設けられる。ワープ球出口６０は、前壁４５の裏側から球をステージ５１の上に排出させる左右方向への貫通孔として、左縦壁５７に設けられる。ワープ通路６１は、ワープ球入口５９からワープ球出口６０に球を導く通路として、前壁４５の裏面および左縦壁５７の左面に設けられる。
【００１６】
飾り後側部品４２は、後壁６６、後側周壁６７、取付部６８、ねじ挿入孔６９、中央切欠部７０、庇７１、上横壁７２、右縦壁７３、左斜壁７４、右斜壁７５、上可変入賞部品２１、可動構造体７６を備える。後壁６６は、中央開口部４９の上部および左側部を覆う板状であって、可動構造体７６および上可変入賞部品２１を組み付ける基盤を構成する。後側周壁６７は、後壁６６の周縁部から前側に直角に突出する。取付部６８は、飾り後側部品４２を飾り前側部品４１に取り付ける部分であって、後側周壁６７から外側に直角に突出する。ねじ挿入孔６９は、取付部６８に前後方向への貫通孔として形成される。中央切欠部７０は、後壁６６の上部および左側部で囲まれるように、後壁６６に形成される。庇７１は、切欠部７０の上縁部から前側に直角に突出する。上横壁７２は、切欠部７０の上縁部から後側に直角に突出する。右縦壁７３は、切欠部７０の右縁部から後側に直角に突出する。上横壁７２および右縦壁７３は、互いに連なる。左斜壁７４は、後壁６６の左側部から前側に直角に突出し、左から右に行くにしたがって下り勾配となる板状である。右斜壁７５は、後壁６６の右側部から前側に直角に突出し、左から右に行くにしたがって下り勾配となる板状である。左斜壁７４および右斜壁７５は、切欠部７０の左上部と右下部とを結ぶ一本の直線的な仮想線上に配置される。上可変入賞部品２１および可動構造体７６は、飾り後側部品４２と別に構成されて、飾り後側部品４２に組み付けられる。
【００１７】
飾り前側部品４１および飾り後側部品４２が互いに組み合わせられる場合、左斜壁７４が左斜取込溝６２に後側から嵌め込まれ、右斜壁７５が右斜取込溝６３後側から嵌め込まれ、左縦壁５７の上縁部が上横壁７２の左縁部に直角に接触し、右縦壁５８の上縁部が右斜壁７５の左縁部に直角に接触し、ステージ５１の右縁部が右縦壁７３の下縁部に直角に接触し、図１に示す図柄視認開口部３９が右縦壁５８と上横壁７２と右縦壁７３およびステージ５１で方形に囲まれて縁取りされた形状に形成される。
【００１８】
図４を参照し、上可変入賞部品２１が飾り後側部品４２に取り付けられる構造について説明する。上可変入賞部品２１は、開閉体３７、球取込部７９、球導出部８０、開閉挿入孔８１、取付部８２、ねじ挿入孔８３、図外の開閉駆動機構を備える。球取込部７９は、周壁の除去された上方開口から落下してくる球を周壁で囲まれた前方に開口した内部空間に取り込む部屋を構成する。球導出部８０は、球を球取込部７９の背壁の右下隅から球取込部７９の裏側に誘導して右側に排出する通路である。開閉挿入孔８１は、球取込部７９の背壁の上部に前後方向への貫通孔として横長に形成される。取付部８２は、上可変入賞部品２１を飾り後側部品４２に取り付けるための部分である。ねじ挿入孔８３は、球取込部７９に前後方向への貫通孔として設けられる。
【００１９】
開閉体３７は横長な板状であって、開閉挿入孔８１に前後方向に移動可能に配置される。開閉駆動機構は、球取込部７９の裏面に取り付けられ電磁ソレノイドのような駆動源と、駆動源の動力を開閉体３７に伝達するリンク機構とを備える。そして、駆動源が制御装置１１（図２参照）からの電力供給によって励磁駆動すると、リンク機構が開閉体３７の前部を球取込部７９の背壁よりも前側に前進させ、開閉体３７の前部が周壁の除去された上方開口を球が上から入らないように閉じる。上記駆動源への制御装置１１からの電力供給が遮断され、駆動源の励磁駆動が解除されると、コイルスプリングのような弾性体のばね力がリンク機構に作用し、リンク機構が開閉体３７の前部を球取込部７９の背壁の側に後退させ、開閉体３７の前部が周壁の除去された上方開口を球が上から入るように開く。
【００２０】
飾り後側部品４２の後壁６６には、部品逃避部８６と部品取付部８７および球排出部８８が設けられる。部品逃避部８６は、後壁６６の左側部に位置し、前後方向への貫通孔として構成される。部品取付部８７は、部品逃避部８６の周辺に位置し、後壁６６から前側に筒状に突出する。球排出部８８は、部品逃避部８６の右下隅に位置し、後壁６６の裏面から前側に突出し、裏側に開口する通路として構成される。そして、上可変入賞部品２１の裏側が飾り後側部品４２の側に向けられ、上可変入賞部品２１の裏側に延びる駆動源の配線が部品逃避部８６を経由して飾り後側部品４２の裏側に引き出され、タッピングスクリューのような止ねじ８９が取付部８２の貫通孔を経由して部品取付部８７の内部に締結されることによって、上可変入賞部品２１が飾り後側部品４２に取り付けられる。上可変入賞部品２１が飾り後側部品４２に取り付けられた場合、球が球導出部８０から球排出部８８に流れるように、球導出部８０および球排出部８８が互いに連結される。これによって、開閉体３７の開放中において、遊技盤１５（図１参照）の遊技領域から球取込部７９に取り込まれた球は、球導出部８０および球排出部８８を順に経由して飾り後側部品４２の裏側に排出される。
【００２１】
図５を参照し、可動構造体７６における可動化粧体９２および可動基盤９３について説明する。可動化粧体９２は、遊技者が飾り前側部品４１を前側から見た場合に飾り前側部品４１の裏側を透視できないように、有色な合成樹脂または合成樹脂にメッキや色付けによる被膜を形成した態様である。可動化粧体９２には、下切欠部９７が設けられる。可動化粧体９２の一部には、遊技者が可動化粧体９２を前側から見た場合に可動化粧体９２の裏側を透視できるように、前後方向の仮想線で示す貫通孔Ｌ１を設けたり、貫通孔Ｌ１を塞ぐ無色な合成樹脂部材を裏面に設けたりしてもよい。また、可動化粧体９２の右側部半透明な合成樹脂からなる仮想線で示す補助部材Ｌ２として別に構成され、この補助部材Ｌ２を可動化粧体９２の右側部に取り付けてもよい。可動化粧体９２が閉じられた場合に図３の入賞球確認部５０を前側から覆い隠す左側部には、貫通孔Ｌ１や補助部材Ｌ２が設けられていない。可動基盤９３は、可動化粧体９２や動力伝達機構９４（図６参照）が取り付けられるものであって、可動化粧体９２が可動基盤９３の前側に重ね合わされ、タッピングスクリューのような止ねじ１０５が結合部１０１の内部を貫通して可動化粧体９２に締結されることによって、可動化粧体９２および可動基盤９３が一体に組み立てられる。
【００２２】
図６を参照し、可動構造体７６が飾り後側部品４２に取り付けられる構造について説明する。可動構造体７６は、可動化粧体９２、可動基盤９３、動力伝達機構９４、駆動源９５を備える。可動基盤９３は、上切欠部９８、下切欠部９９、ガイド孔１００、結合部１０１、リンク取付部１０２、周壁１０３、突起１０４を備える。上切欠部９８は、可動基盤９３が飾り後側部品４２に取り付けられた場合に図４の上可変入賞部品２１を逃げる部分であって、可動基盤９３の左上部に設けられる。下切欠部９９は、可動基盤９３が飾り後側部品４２に取り付けられた場合に中央切欠部７０と対応する部分であって、可動基盤９３の左下部に設けられる。ガイド孔１００は、上切欠部９８の下縁部の左側部の位置、上切欠部９８の右縁部の位置、下切欠部９９の右上隅の位置、下切欠部９９の右縁部の下部の位置など、複数の位置で、可動基盤９３に前後方向への貫通孔として設けられ、左から右に行くにしたがって下り勾配となる長孔である。結合部１０１は、図５の可動化粧体９２および可動基盤９３を互いに取り付けるための部分であって、可動基盤９３から前側に筒状に突出し、複数設けられる。リンク取付部１０２は、動力伝達機構９４の第３リンク部材１１０を嵌め込む部分であって、前後方向への貫通孔として構成され、上切欠部９８の右縁部の位置におけるガイド孔１００と下切欠部９９の右上隅の位置におけるガイド孔１００との間に設けられる。周壁１０３は、可動基盤９３の周縁部から前側に突出するリブを構成する。突起１０４は、可動基盤９３が上昇限度位置に到達する場合に感知レバー１３５を押し動かすものであって、可動基盤９３から裏側に突出する。
【００２３】
動力伝達機構９４は、ドライブレバー１０７、第１リンク部材１０８、第２リンク部材１０９、第３リンク部材１１０、第１支点部材１１１、第２支点部材１１２を備える。ドライブレバー１０７は、直線的な棒であって、一端部に出力取付部１１３を前後方向への貫通孔として備え、他端部にリンク突起１１４をローラとして備える。第１リンク部材１０８は、直線的な棒であって、中間部に支点取付部１１５を前後方向への貫通孔として備え、一端部および他端部にリンク孔１１６；１１７を長孔として備える。第２リンク部材１０９は、直線的な棒であって、一端部にリンク突起１１８をローラとして備え、他端部にリンク孔１１９を備える。第３リンク部材１１０は、三角形の板状であって、１つの隅部に支点取付部１２０を前後方向への貫通孔として備え、２つの隅部にリンク突起１２１；１２２をローラとして個別に備える。第１支点部材１１１は、飾り後側部品４２の前面に固定され、支点取付部１１５に回転可能に嵌め込まれ、第１リンク部材１０８の支点を構成する。第２支点部材１１２は、飾り後側部品４２の前面に固定され、支点取付部１２０に回転可能に嵌め込まれ、第３リンク部材１１０の支点を構成する。
【００２４】
飾り後側部品４２には、ガイド取付部１２５が、複数のガイド孔１００と対応するように、飾り後側部品４２の後壁６６から前側に突出した筒状に設けられる。ガイド取付部１２５には、ガイド突起１２６が取り付けられる。ガイド突起１２６は、複数のガイド孔１００に滑走可能に個別に嵌め込まれることによって、可動基盤９３を左から右に行くにしたがって下り勾配を呈して直線的に昇降するように案内するものである。よって、ガイド孔１００およびガイド突起１２６が、可動基盤９３を飾り後側部品４２に対し斜めに直線的に昇降するガイド機構を構成する。飾り後側部品４２には、出力軸挿入孔１２７が設けられる。出力軸挿入孔１２７は、駆動源９５の出力軸を飾り後側部品４２の裏側から前側に貫通させるように、飾り後側部品４２への前後方向への貫通孔として構成される。駆動源９５は、ステップモータにより構成され、ステップモータのケースから前側に回転する出力軸１３０を備え、ステップモータのケースから径方向外側に取付足１３１を備える。取付足１３１にはねじ挿入孔１３２を前後方への貫通孔として備える。
【００２５】
そして、出力軸１３０が飾り後側部品４２の後側から出力軸挿入孔１２７を経由して飾り後側部品４２の前側に突出され、タッピングスクリューのような止ねじ１３３が取付足１３１の後側からねじ挿入孔１３２を経由して飾り後側部品４２の裏面に設けられた図外の駆動取付部に締結されることによって、駆動源９５が飾り後側部品４２に固定される。ドライブレバー１０７、第１リンク部材１０８、第２リンク部材１０９、第３リンク部材１１０は、可動基盤９３と飾り後側部品４２との間に配置される。出力取付部１１３は、飾り後側部品４２を裏側から前側に貫通した駆動源９５の回転する出力軸１３０に固定される。リンク突起１１４は、リンク孔１１６に滑走可能に嵌め込まれる。第１リンク部材１０８は、第１支点部材１１１で飾り後側部品４２に回転可能に取り付けられる。リンク孔１１７は、リンク突起１１８に滑走可能に嵌め込まれる。リンク孔１１９には、リンク突起１２１が滑走可能に嵌め込まれる。第３リンク部材１１０は、第２支点部材１１２で飾り後側部品４２に回転可能に取り付けられる。リンク突起１２２は、リンク取付部１０２に回転可能に嵌め込まれる。よって、駆動源９５が図２の制御装置１１からの電力供給で駆動すると、可動基盤９３がガイド孔１００およびガイド突起１２６からなるガイド機構で案内されつつ動力伝達機構９４によって飾り後側部品４２の後壁６６の前側で右下り勾配で直線的に斜めに昇降する。
【００２６】
飾り後側部品４２には、レバー逃避孔１３４、感知レバー１３５、位置検出器１３６が設けられる。レバー逃避孔１３４は、後壁６６に前後方向への貫通孔として設けられ、感知レバー１３５は、後壁６６の前側に回転可能に取り付けられる。感知レバー１３５の一端部には、被検出部１３７が、感知レバー１３５から後側に突出して設けられる。感知レバー１３５の他端部には、突起衝突部１３８が設けられる。図外のコイルスプリングのような復帰ばねの一端部が感知レバー１３５に係留され、当該復帰ばねの他端部が飾り後側部品４２に係留されることによって、被検出部１３７が左側に回転するように、復帰ばねが弾性を感知レバー１３５に与える。位置検出器１３６は、図外の回路基板に実装されており、当該回路基板が飾り後側部品４２に裏面に取り付けられることによって、位置検出器１３６の発光部および受光部がレバー逃避孔１３４の側に向けられる。
【００２７】
飾り後側部品４２の前側に組みつけられた可動基盤９３の前側には、図５に示す可動化粧体９２が次のように取り付けられる。飾り後側部品４２には、図外の作業孔が前後方向への貫通孔として設けられる。可動化粧体９２が可動基盤９３の前側に重ね合わされ、タッピングスクリューのような止ねじ１０５が飾り後側部品４２の後側から作業孔および結合部１０１の内部を貫通して可動化粧体９２に締結される。これによって、可動化粧体９２および可動基盤９３が、一体に組み立てられる。止ねじ１０５の尖端は、可動化粧体９２からの前面から前側に突出しない。
【００２８】
図７および図８を参照し、飾り構造体２７での可動構造体７６の動作について説明する。図７において、可動構造体７６の仮想線で示す可動化粧体９２の左側部が入賞球確認部５０を前側から覆い隠して飾り前側部品４１の左側部に最も接近し、下切欠部９７；９９が図柄視認開口部３９を覆い隠すことがないように図柄視認開口部３９の上縁部および右縁部に沿って配置される。この状態は、可動構造体７６が閉じた状態と称される。このように可動構造体７６が閉じた状態において、駆動源９５の出力軸１３０が矢印Ｘ１の方向に回転すると、ドライブレバー１０７が出力軸１３０を中心として矢印Ｘ１の方向に回転し、第１リンク部材１０８が第１支点部材１１１を中心として矢印Ｘ２の方向に回転し、第２リンク部材１０９が矢印Ｘ３の方向に直線的に下降し、第３リンク部材１１０が第２支点部材１１２を中心として矢印Ｘ４の方向に回転し、リンク突起１２２が可動基盤９３を矢印Ｘ５に示すように左側から右側に押し動かす。
【００２９】
これによって、図８に仮想線で示すように、可動化粧体９２の左側部が飾り前側部品４１の左側部から右側斜め下方に離れ、下切欠部９７；９９の下縁部が図柄視認開口部３９の上縁部を前側から覆い隠すことがないよう配置され、入賞球確認部５０が可動化粧体９２の左側部から露出される。この状態は、可動構造体７６が開いた状態と称される。これによって、遊技者が、飾り構造体２７を前側から見た場合、入賞球確認部５０を通して図４の上可変入賞部品２１の球取込部７９に取り込まれた球を適切に確認することができるという利点がある。可動構造体７６が閉から開かれる場合、突起１０４が感知レバー１３５の突起衝突部１３８から離れるのに伴い、感知レバー１３５の被検出部１３７が位置検出器１３６から左側に離れる。これによって、位置検出器１３６の検出光が凹部の一側を形成する発光部から凹部の他側を形成する受光部に受光される。
【００３０】
図８に示すように、可動構造体７６が開いた状態において、駆動源９５の出力軸１３０が矢印Ｘ６の方向（矢印Ｘ１と逆方向）に回転すると、ドライブレバー１０７が出力軸１３０を中心として矢印Ｘ６の方向に回転し、第１リンク部材１０８が第１支点部材１１１を中心として矢印Ｘ７の方向に回転し、第２リンク部材１０９が矢印Ｘ８の方向に直線的に上昇し、第３リンク部材１１０が第２支点部材１１２を中心として矢印Ｘ９の方向に回転し、リンク突起１２２が可動基盤９３を矢印Ｘ１０で示すように右側から左側に押し動かす。これによって、可動構造体７６が図７に仮想線で示すように閉じた態様となる。このように可動構造体７６が閉じる場合、突起１０４が感知レバー１３５の突起衝突部１３８を右側から左側に押し動かすのに伴い、感知レバー１３５の被検出部１３７が位置検出器１３６の凹部に入る。これによって、位置検出器１３６の発光部からの検出光が被検出部１３７で遮られて受光部に受光されなくなり、位置検出器１３６が感知レバー１３５を感知した信号を制御装置１１に出力し、制御装置１１が駆動源９５を停止し、駆動源９５が可動構造体７６を無理に閉じるような不都合は発生しない。
【００３１】
図９において、飾り構造体２７が遊技盤１５に取り付けられ、この遊技盤１５が図１の遊技機枠１に装着された構造について説明する。飾り構造体２７の取付部４７よりも裏側に突出した部分が、遊技盤１５の前側から部品逃避孔１４０を経由して遊技盤１５の裏側に突出され、取付部４７が遊技盤１５の前面である遊技領域に接触され、木ねじ１４１が取付部４７の前側からねじ挿入孔４８（図３参照）を経由して遊技盤１５に締結される。これによって、飾り構造体２７が遊技盤１５に取り付けられる。飾り構造体２７の前側には、前面パネル７が配置される。前面パネル７と飾り構造体２７の前面との間の間隙Ｈ１は、球Ｐが通らない寸法に設定される。前面パネル７と取付部４７との間の間隙Ｈ２、前面パネル７と木ねじ１４１との間の間隙、前面パネル７と遊技領域との間の間隙Ｈ３は、球Ｐが通る寸法に設定される。よって、球Ｐが飾り構造体２７よりも上方から飾り構造体２７に向けて遊技領域を流下する場合、球Ｐは前側周壁４６に衝突した後に前側周壁４６に沿って下方に流し、当該球Ｐは飾り構造体２７の内部に設けられた飾り構造体２７に衝突しない。
【００３２】
図１０を参照し、特図始動入賞に関する処理について説明する。この処理は、図２の制御装置１１で行われる。特図始動入賞に関する処理が始まると、ステップ１０１において、制御装置１１が特図始動入賞か否かを判断する。それには、制御装置１１のコンピュータが特図始動入賞信号の入力があるかないかを判断する。そして、特図始動入賞信号がコンピュータに入力されると、特図遊技中を示すフラグが設定され、ステップ１０１がＹＥＳとなり、ステップ１０２に進む。特図始動入賞信号がコンピュータに入力されなければ、ステップ１０１がＮＯとなり、特図遊技中を示すフラグの設定を解消し、制御装置１１が処理の１サイクルを終わる。ステップ１０２では、制御装置１１が当たり外れを決める特図抽選を実行し、特図抽選の結果が当たりである場合は制御装置１１が特図抽選の結果の当たりを示すフラグを設定し、特図抽選の結果が可動外れである場合は制御装置１１が特図抽選の結果の可動外れを示すフラグを設定し、ステップ１０３に進む。ステップ１０３では、制御装置１１が特図遊技中か否かを判断する。それには、制御装置１１のコンピュータが特図遊技中を示すフラグが設定されているか否かを判断する。そして、特図遊技中を示すフラグが設定されていると、ステップ１０３がＹＥＳとなり、ステップ１０４に進み、特図遊技中を示すフラグが設定されてなければ、ステップ１０３がＮＯとなり、ステップ１０５に進む。
【００３３】
ステップ１０４では、制御装置１１が特図始動入賞数を特図始動入賞メモリとしてＲＡＭに記憶し、かつ、保留数表示器を点灯する。これによって、保留数表示器が記憶された特図始動入賞数を遊技者に知らせるように表示し、制御装置１１が処理の１サイクルを終わる。ステップ１０５では、制御装置１１が図柄変動処理を開始する。これによって、図１の特別図柄表示器２４および画像表示器２６が図柄および画像の可変表示を開示した後、制御装置１１がステップ１０６に進む。ステップ１０６では制御装置１１が特図抽選の結果としての当たりか外れかを判断する。それには、制御装置１１のコンピュータが特図抽選の結果の当たりを示すフラグが設定されているか否かを判断する。そして、当たりを示すフラグが設定されていれば、ステップ１０６がＹＥＳとなり、ステップ１０７に進み、当たりを示すフラグが設定されていなければ、ステップ１０６がＮＯとなり、ステップ１１０に進む。
【００３４】
ステップ１０７では、制御装置１１が画像表示器２６による演出表示の変化によって図３の可動構造体７６を当たりの動作で駆動した後、ステップ１０８に進む。ステップ１０８では、図柄変動処理の終了か否かを判断する。つまり、制御装置１１がステップ１０５における図柄変動開始からの経過時間を計測し、計測した経過時間が制御装置１１に設定された設定経過時間に到達したか否かを判断する。計測した経過時間が設定経過時間に到達した場合、図柄当たり確定を処理する。それには、制御装置１１のコンピュータがステップ１０２での特図抽選の当たりの結果を反映するように図１の特別図柄表示器２４および画像表示器２６を制御する。これによって、特別図柄表示器２４および画像表示器２６が図柄および画像を当たりを示すように停止表示し、ステップ１０９に進む。ステップ１０９では、抽選結果の当たりを示すフラグの設定を解消し、制御装置１１が大当たりを実行した後に、図柄遊技中を示すフラグの設定を解消し、処理の１サイクルを終わる。
【００３５】
ステップ１１０では、制御装置１１が可動外れであるか否かを判断する。それには、制御装置１１のコンピュータが可動外れを示すフラグが設定されているか否かを判断する。そして、可動外れを示すフラグが設定されていれば、ステップ１１０がＹＥＳとなり、ステップ１１１に進み、可動外れを示すフラグが設定されていなければ、ステップ１１０がＮＯとなり、ステップ１１２に進む。ステップ１１１では、制御装置１１が画像表示器２６による演出表示の変化によって図３の可動構造体７６を外れの動作で駆動した後、ステップ１１２に進む。ステップ１１２では、図柄変動処理の終了か否かを判断する。つまり、制御装置１１がステップ１０５における図柄変動開始からの経過時間を計測し、計測した経過時間が制御装置１１に設定された設定経過時間に到達したか否かを判断する。計測した経過時間が設定経過時間に到達した場合、図柄外れ確定を処理する。それには、制御装置１１のコンピュータがステップ１０２での特図抽選の外れの結果を反映するように図１の特別図柄表示器２４および画像表示器２６を制御する。これによって、特別図柄表示器２４および画像表示器２６では図柄および画像が外れを示すように停止表示された後、制御装置１１が図柄遊技中を示すフラグの設定を解消し、処理の１サイクルを終わる。
【００３６】
最良の形態の場合、ステップ１０２における特図抽選の当たりには、通常当たり、確変当たりが存在する。そして、通常当たりの場合、ステップ１０９での大当たりの処理において、図１の下可変入賞部品２２の開閉体３８を開閉する。この開閉体３８の開閉は、例えば、大当たりを１５ラウンド継続する。具体的には、制御装置１１が開閉体３８の開放開始から所定時間を経過するまでの間に可変入賞信号を「１０」のような所定個数カウントアップするかまたは開閉体３８の開放開始から所定時間を経過すると、制御装置１１が開閉体３８を一度閉じた後に開閉体３８を再び開くように制御する。開閉体３８を一度閉じたことによって、大当たりの１ラウンドが終了し、開閉体３８を再び開くことによって、大当たりの次のラウンドが始まる。確変当たりの場合、ステップ１０９での大当たりの処理において、図１の下可変入賞部品２２の開閉体３８を開閉した後、上可変入賞部品２１の開閉体３７を開閉する。確変当たりでは、大当たりが１５ラウンド継続する場合において、最初の１０ラウンドまでは下可変入賞部品２２の開閉体３８を開閉し、１１ラウンドから最終ラウンドまでは上可変入賞部品２１の開閉体３７を開閉する。そして、上可変入賞部品２１の開閉体３７を開く場合、制御装置１１が可動構造体７６を図８に仮想線で示すように開くように制御する。
【００３７】
最良の形態によれば、可動構造体７６が図柄視認開口部３９に対し斜めに直線的に駆動するように飾り構造体２７に設けられているので、可動構造体７６を制御装置１１による遊技処理に応じ開いたり閉じたりするように動作することによって、遊技の演出効果を向上することができるという利点がある。飾り構造体２７には上可変入賞部品２１が図柄視認開口部３９よりも上部において遊技盤１５の前側から見えないように設けられ、上可変入賞部品２１の球取込部７９の前面が球取込部７９に取り込まれた球を透視可能な入賞球確認部５０で塞がれ、可動構造体７６が閉じることによって入賞球確認部５０が遊技盤１５の前側から見えないように可動構造体７６で覆い隠され、可動構造体７６が開くことによって入賞球確認部５０が遊技盤の前側から見えるように露出されるので、遊技者が、飾り構造体２７を前側から見た場合、入賞球確認部５０を通して図４の上可変入賞部品２１の球取込部７９に取り込まれた球を適切に確認することができるという利点がある。つまり、上可変入賞部品２１の開閉体３７が開き、球が遊技領域から球取込部７９に取り込まれる可能性がある場合に、可動構造体７６が開き、入賞球確認部５０が可動構造体７６から露出され、遊技者が、飾り構造体２７を前側から見た場合、入賞球確認部５０を通して図４の上可変入賞部品２１の球取込部７９に取り込まれた球を適切に確認することができる。
【図面の簡単な説明】
【００３８】
【図１】遊技盤の正面図（最良の形態）。
【図２】パチンコ遊技機の正面図（最良の形態）。
【図３】飾り構造体の分解斜視図（最良の形態）。
【図４】上可変入賞部品および飾り後側部品の分解斜視図（最良の形態）。
【図５】可動化粧体および可動基盤の分解斜視図（最良の形態）。
【図６】飾り後側部品、可動基盤、動力伝達機構、駆動源の分解斜視図（最良の形態）。
【図７】可動構造体を閉じた飾り構造体の正面図（最良の形態）。
【図８】可動構造体を開いた飾り構造体の正面図（最良の形態）。
【図９】飾り構造体を取り付けた遊技盤の縦断面図（最良の形態）。
【図１０】特図始動入賞のフローチャート（最良の形態）。
【符号の説明】
【００３９】
１５  遊技盤
２１  上可変入賞部品
２２  下可変入賞部品
２６  画像表示器
２７  飾り構造体
３９  図柄視認開口部
５０  入賞球確認部
７６  可動構造体
７９  球取込部
【図１】
2007167093.tif 000003
【図２】
2007167093.tif 000004
【図３】
2007167093.tif 000005
【図４】
2007167093.tif 000006
【図５】
2007167093.tif 000007
【図６】
2007167093.tif 000008
【図７】
2007167093.tif 000009
【図８】
2007167093.tif 000010
【図９】
2007167093.tif 000011
【図１０】
2007167093.tif 000012